(57)【要約】【課題】  本発明は、カットアウト１００の一次側端子１２２及び／又は二次側端子１２３に端子具２を確実に接続することができるカットアウト接続器具１を提供することを課題とする。【解決手段】  カットアウト本体１２０に収容される一次側端子１２２及び／又は二次側端子１２３に電気的に接続する端子具２と、カットアウト本体１２０の一部を被うカバー体３と、カットアウト本体１２０の一部を被うためにカバー体３に取り付けられる第１操作具４と、端子具２の位置を切り替え可能とするために端子具２に取り付けられる第２操作具５とを備え、端子具は、一次側端子１２２及び／又は二次側端子１２３に接続する位置と、一次側端子１２２及び／又は二次側端子１２３から離間し、且つ、カットアウト本体１２０にカバー体３を装着する又はカットアウト本体からカバー体を取り外すことが可能な位置とに切り替え可能にして、カバー体３に支持されることを特徴とする。【選択図】  図１
2010176954.tif 000002
【特許請求の範囲】
【請求項１】
一次側電力系統に接続された一次側端子及び二次側電力系統に接続された二次側端子を収容し、一面が開口状態にされたカットアウト本体と、カットアウト本体の開口部の下端に一端を回動可能に取り付けられ、カットアウト本体の開口部を開閉するカットアウト蓋とを備えたカットアウトに対し、一次側端子及び／又は二次側端子に電気的に接続する端子具と、一次側端子及び／又は二次側端子に端子具を接続するために操作する操作具とを備えるカットアウト接続器具において、
カットアウト本体の一部を被うカバー体を備え、端子具は、一次側端子及び／又は二次側端子に接続する位置と、一次側端子及び／又は二次側端子から離間し、且つ、カットアウト本体にカバー体を装着する又はカットアウト本体からカバー体を取り外すことが可能な位置とに切り替え可能にして、カバー体に支持されることを特徴とするカットアウト接続器具。
【請求項２】
操作具は、カットアウト本体の一部を被うためにカバー体に取り付けられる第１操作具と、端子具の位置を切り替え可能とするために端子具に取り付けられる第２操作具とを備える請求項１に記載のカットアウト接続器具。
【発明の詳細な説明】
【技術分野】
【０００１】
本発明は、箱形タイプのカットアウトに収容された一次側端子及び／又は二次側端子に電気的に接続することが可能なカットアウト接続器具に関する。
【背景技術】
【０００２】
従来、カットアウト（「高圧カットアウト」を含む）の各端子に接続するカットアウト接続器具として、地絡した電線路における事故点を探査すべく、カットアウトに接続する事故点探査装置の課電端子（特許文献１を参照）や、工事対象となる電線路を接地すべく、カットアウトに接続する接地短絡装置の接地端子（特許文献２及び特許文献３を参照）が知られている。
【０００３】
そこで、カットアウト接続器具の構成について、事故点探査装置の課電端子を例に、図５を参酌しつつ、説明する。課電端子は、カットアウト本体に収容される一次側端子及び二次側端子に電気的に接続する端子具２ｂと、一次側端子及び二次側端子に端子具を接続するために操作する操作具４とを備えている。
【０００４】
端子具２ｂは、長尺な平板状に形成された基体部２１と、同じく平板状に形成され、基体部２１の両端にそれぞれ接続する一対の端子部２２、２２と、操作具４に接続するネジ部２４とを備えている。操作具４は、長尺状の一端部に導電性を有する先端部４１と、先端部４１に接続され、絶縁性を有する絶縁体部４２と、長尺状の他端部に、絶縁操作棒（共用操作棒）を着脱可能な接続部４３と、絶縁体部４２の下部から引き出されるケーブル４４とを備えている。そして、従来のカットアウト接続器具１ｂは、端子部２２、２２が基体部２１から突出する方向と、操作具４の長手方向とが略同一（平行）となるように、端子具２ｂと操作具４とが直接的に接続（連結）されている。
【先行技術文献】
【特許文献】
【０００５】
【特許文献１】特開２００８−１８０６３４号公報
【特許文献２】特開２００７−１６５２３８号公報
【特許文献３】特開２００６−１１４２３１号公報
【発明の概要】
【発明が解決しようとする課題】
【０００６】
そして、一般的に、カットアウト１００は、図６に示すように、電柱に対して水平に配置される腕金Ｖに、固定具Ｗを使用して、斜めに傾斜させて取り付けられているので、カットアウト１００の各端子も斜め下方に傾斜している。そして、カットアウト接続器具１ｂは、斜め下方から各端子に端子具２ｂを差し込むことでカットアウト１００に電気的に接続されている。
【０００７】
しかし、作業者が誤ってカットアウト接続器具１ｂに接触するなどして、カットアウト接続器具１ｂに予想以上の荷重がかかると、カットアウト接続器具１ｂの端子具２ｂがカットアウト１００の各端子から外れることがある。
【０００８】
よって、本発明は、かかる事情に鑑み、カットアウトの一次側端子及び／又は二次側端子に端子具を確実に接続することができるカットアウト接続器具を提供することを課題とする。
【課題を解決するための手段】
【０００９】
本発明に係るカットアウト接続器具は、一次側電力系統に接続された一次側端子及び二次側電力系統に接続された二次側端子を収容し、一面が開口状態にされたカットアウト本体と、カットアウト本体の開口部の下端に一端を回動可能に取り付けられ、カットアウト本体の開口部を開閉するカットアウト蓋とを備えたカットアウトに対し、一次側端子及び／又は二次側端子に電気的に接続する端子具と、一次側端子及び／又は二次側端子に端子具を接続するために操作する操作具とを備えるカットアウト接続器具において、カットアウト本体の一部を被うカバー体を備え、端子具は、一次側端子及び／又は二次側端子に接続する位置と、一次側端子及び／又は二次側端子から離間し、且つ、カットアウト本体にカバー体を装着する又はカットアウト本体からカバー体を取り外すことが可能な位置とに切り替え可能にして、カバー体に支持されることを特徴とする。
【００１０】
かかる構成によれば、カットアウト本体にカバー体を装着することが可能な位置に端子具を切り替えたカバー体をカットアウト本体に被せることで、カットアウトにカットアウト接続器具が装着され、更に、端子具を一次側端子及び／又は二次側端子に接続する位置に切り替えることで、一次側端子及び／又は二次側端子に端子具が接続される。そして、端子具が一次側端子及び／又は二次側端子に接続する位置に切り替えられている間にカバー体を操作しても、カットアウト接続器具がカットアウトから外れることはなく、一次側端子及び／又は二次側端子に端子具を確実に接続することができる。
【００１１】
また、端子具を一次側端子及び／又は二次側端子から離間し、カットアウト本体からカバー体を取り外すことが可能な位置に切り替えることで、カットアウト接続器具がカットアウト本体から取り外される。
【００１２】
また、本発明に係る操作具は、カットアウト本体の一部を被うためにカバー体に取り付けられる第１操作具と、端子具の位置を切り替え可能とするために端子具に取り付けられる第２操作具とを備えてもよい。
【００１３】
かかる構成によれば、第２操作具を操作して端子具をカットアウト本体にカバー体を装着することが可能な位置に切り替え、第１操作具を操作してカットアウト本体からカバー体を装着し、第２操作具を操作して端子具を一次側端子及び／又は二次側端子に接続する位置に切り替えることで、カットアウトにカットアウト接続器具を接続される。また、この逆に操作することで、カットアウトからカットアウト接続器具を取り外させる。よって、各操作がそれぞれ独立して行えるため、第１操作具と第２操作具とを同時に誤操作しない限り、カットアウト接続器具がカットアウトから外れることはなく、一次側端子及び／又は二次側端子に端子具を確実に接続することができる。
【発明の効果】
【００１４】
以上の如く、本発明に係るカットアウト接続器具によれば、カットアウトの一次側端子及び／又は二次側端子に端子具を確実に接続することができるという優れた効果を奏する。
【図面の簡単な説明】
【００１５】
【図１】本発明の実施形態に係るカットアウト接続器具１をカットアウト１００に装着した状態の外観図を示す。
【図２】同実施形態に係るカットアウト接続器具１であって、（ａ）は、図１のＡ−Ａ線断面図、及び、（ｂ）は、第２操作具５の軸方向外側からみたカバー体３の外観図、を示す。
【図３】本発明の他の実施形態に係るカットアウト接続器具１ａをカットアウト１００に装着した状態の外観図を示す。
【図４】カットアウト１００であって、（ａ）は、カットアウト蓋１３０を閉めた状態の外観図、（ｂ）は、カットアウト蓋１３０を開いた状態の外観図、及び、（ｃ）は、カットアウト蓋１３０を開いた状態の外観斜視図を示す。
【図５】従来技術に係るカットアウト接続器具１ｂの外観図を示す。
【図６】従来技術に係るカットアウト接続器具１ｂをカットアウト１００に接続した状態の外観図を示す。
【発明を実施するための形態】
【００１６】
以下、本発明に係るカットアウト接続器具における実施形態について、図１及び図２を参酌しつつ、説明する。なお、本実施形態におけるカットアウト接続器具１は、事故点探査装置の課電端子を例に説明する。
【００１７】
本実施形態に係るカットアウト接続器具１は、カットアウト１００に接続される。従って、まずは、カットアウト１００について、説明する。
【００１８】
カットアウトには、大きく二つのタイプのものがある。一つ目のタイプは、一次側電力系統に接続された一次側端子及び二次側電力系統に接続された二次側端子を収容し、一面が開口状態にされたカットアウト本体と、カットアウト本体の開口部の下端に一端を回動可能に取り付けられ、カットアウト本体の開口部を開閉するカットアウト蓋とを備えた箱形タイプのカットアウトである。二つ目のタイプは、同じく一次側端子及び二次側端子を収容し、一端が開口したカットアウト本体と、カットアウト本体の一端開口部に着脱自在に構成された蓋体とを備えた筒形タイプのカットアウトである。そして、本発明に係るカットアウト接続器具１は、箱形タイプのカットアウト（以下、単に「カットアウト」という）に使用するものであり、次に、カットアウトの構成について、図４を参酌しつつ、説明する。
【００１９】
カットアウト１００は、筒状に形成されたヒューズ１１０と、ヒューズ１１０を出し入れ（抜き差し）するための開口部１２１を有し、ヒューズ１１０を内部に収容するカットアウト本体１２０と、カットアウト本体１２０の開口部１２１を被うカットアウト蓋１３０とを備えている。
【００２０】
また、カットアウト１００は、腕金や固定具を介して、電柱に固定される。そして、カットアウト１００は、一次側電力系統から一次側電線Ｙを、及び、二次側電力系統から二次側電線Ｚを（ヒューズを介して）電気的に接続すべく、各電線Ｙ、Ｚと電気的に接続されている。
【００２１】
ヒューズ１１０は、筒状のヒューズ本体１１１から径方向に平板状で突出して形成される一対の導電刃１１２、１１２を備えている。そして、一対の導電刃１１２、１１２は、ヒューズ本体１１１から同方向に突出して形成されると共に、ヒューズ本体１１１から突出する方向に平行な面に沿って（互いに並行になるように）並設される。具体的には、一対の導電刃１１２、１１２は、互いに略面一になるように、ヒューズ本体１１１の軸方向に沿って並設される。
【００２２】
カットアウト本体１２０は、ヒューズ１１０の導電刃１１２、１１２に差し込まれる一次側端子１２２及び二次側端子１２３を備えている。そして、各端子１２２、１２３は、カットアウト蓋１３０がカットアウト本体１２０の開口部１２１を閉じた状態にて、差し込まれた導電刃１１２の基端側を把持し、一方の導電刃１１２と一次側電線Ｙとを電気的に接続し、他方の導電刃１１２と二次側電線Ｚとを電気的に接続する。また、カットアウト本体１２０には、端子１２２、１２３それぞれに電気的に接続された電線Ｙ、Ｚを引き出す開口部を備えている。具体的には、本実施形態に係るカットアウト本体１２０には、カットアウト本体１２０の長手方向側面の両端部に開口部が設けられている。
【００２３】
カットアウト蓋１３０は、カットアウト本体１２０の開口部１２１を開閉可能に、カットアウト本体１２０に取り付けられる。具体的には、カットアウト蓋１３０は、カットアウト本体１２０の一端部に回動自在に接続されており、カットアウト本体１２０に対して相対的に回動（移動）可能に構成されている。また、カットアウト蓋１３０は、内側にヒューズ１１０を装着可能に構成されている。
【００２４】
なお、カットアウト１００においては、カットアウト蓋１３０が回動する方向に沿って、平板状の導電刃１１２、１１２が配置されるように、ヒューズ１１０がカットアウト蓋１３０の内側に装着される。そして、カットアウト蓋１３０が回動することにより、導電刃１１２、１１２が各端子１２２、１２３に差し込まれたり、各端子１２２、１２３から抜き出されたりする。そして、各端子１２２、１２３は、一次側電力系統及び二次側電力系統に接続されており、一次側電力系統及び二次側電力系統が停電していなければ、充電部となり、カットアウト蓋１３０を開くことで、開口部１２１から充電部が露出することになる。これで、カットアウト１００の説明は、以上である。
【００２５】
次に、本実施形態に係るカットアウト接続器具１は、事故点探査装置の課電端子であるため、この事故点探査装置の概要について、説明する。事故点探査装置は、カットアウト１００の各端子１２２、１２３に電気的に接続可能な一対の端子具を有した課電端子と、アース接地された直流電源と、課電端子の各端子具と直流電源とを電気的に接続する配線系と、一次側電力系統及び二次側電力系統を流れる電流を検知するＣＴセンサと、ＣＴセンサの検知結果を告知する告知手段とを備えている。
【００２６】
なお、カットアウト１００は、一本の電柱に対して必要数取り付けられており、それぞれに一次側端子１２２及び二次側端子１２３を収容している。具体的には、単相の電気を供給する場合は、カットアウト１００が二つ一組で設けられ、カットアウト１００ごとに独立した系統が形成されている。また、三相の電気を供給する場合は、カットアウト１００が三つ一組で設けられ、カットアウト１００ごとに独立した系統が形成されている。そして、カットアウト接続器具１は、カットアウト１００の必要数に合わせた数量を備えており、それぞれ独立した系統を形成している。事故点探査装置の説明は、以上である。
【００２７】
次に、本実施形態に係るカットアウト接続器具１の構成について、図１及び図２を参酌しつつ、説明する。カットアウト接続器具１は、カットアウト本体１２０に収容される一次側端子１２２及び二次側端子１２３に電気的に接続する端子具２と、カットアウト本体１２０の一部を被うカバー体３とを備えている。また、カバー体３には、カットアウト本体１２０の一部を被うために取り付けられる第１操作具４を備え、端子具２には、端子具２の位置を切り替え可能とするために取り付けられる第２操作具５を備えている。
【００２８】
端子具２は、長尺な平板状に形成された基体部２１と、同じく平板状に形成され、基体部２１の両端にそれぞれ接続する一対の端子部２２、２２と、第１操作具４と電気的に接続するための接続端子２３と、第２操作具５に接続するネジ部２４とを備えている。なお、端子具２は、導電性を有して（例えば金属にて）形成されている。
【００２９】
一対の端子部２２、２２は、具体的には、略面一となるように、基体部２１の長手方向の各端部から同一方向（基体部２１の長手方向と直交する方向）に延設されており、端子具２（基体部２１と端子部２２、２２との部位）は、略コの字状に形成されている。
【００３０】
接続端子２３は、基体部２１の長手方向の一端部に、導電性を有するネジと、このネジをねじ込むことができるネジ溝とを備えており、端子具２に電気的に接続するための端子である。本実施形態に係る接続端子２３は、一対の端子部２２、２２がカットアウト本体１２０の各端子１２２、１２３に差し込んだときに、カットアウト本体１２０の内壁若しくは各端子１２２、１２３に干渉しないように備えたものである。ゆえに、接続端子２３の位置は、カットアウト本体１２０と干渉しない範囲であれば、基体部２１及び各端子部２２、２２のどの部分に備えたものであってもよい。
【００３１】
ネジ部２４は、端子部２２、２２が接続された基体部２１の反対の面の略中央部に、円柱状に突出して形成され、外周面にネジ溝が切られている。そして、後述する第１操作具４に端子具２を接続するために備えられるものである。
【００３２】
次に、カバー体３は、カットアウト本体１２０の頂部及び側部の一部と開口部１２１を被うカットアウトカバー３１を備えている。そして、カットアウトカバー３１の開口部１２１と面する面には、端子具２を被う端子具カバー３３と、端子具２と第１操作具４との接続部分を被う端子具接続カバー３７とを備えている。
【００３３】
カットアウトカバー３１は、カットアウト本体１２０の頂部を被うことが可能な、カットアウト１００の上面とその上面に隣接する側面に対しそれぞれ相対する面を備えたカバーであり、カットアウト本体１２０の頂部に装着するときに、一次側電線Ｙ及び二次側電線Ｚとの干渉を避けるべく、各電線Ｙ、Ｚを引き出す開口部を避ける一定幅以上の切り欠き部３２を備えている。よって、カットアウトカバー３１は、カットアウト接続器具１をカットアウト本体１２０に装着することができる。
【００３４】
また、この切り欠き部３２は、カットアウトカバー３１の反対の面にも備えており、切り欠き部３２の幅を腕金の幅以上とするため、腕金などに引っ掛けるアタッチメント仮支持クリートとして利用することができる。
【００３５】
また、カットアウトカバー３１は、カットアウト本体１２０の開口部１２１と面する面で端子具カバー３３及び端子具接続カバー３７と接続されており、開口部１２１は、カットアウトカバー３１、端子具カバー３３、及び、端子具接続カバー３７とによって塞がれるようになっており、カットアウト本体１２０の充電部である一次側端子１２２及び二次側端子１２３を絶縁保護することができる。
【００３６】
端子具カバー３３は、端子具２を被うことが可能な、有底の筒状カバーであり、開口部をカットアウトカバー３１に向けて接続されている。そして、端子具カバー３３には、端子具２が収納されており、端子具カバー３３からカットアウト本体１２０の各端子１２２、１２３に向かって端子具２を差し込むことができるようになっている。
【００３７】
また、端子具カバー３３の内部に収納されている端子具２のネジ部２４の延長線上に、第２操作具５を挿通させる開口である挿通部３４を備えている。また、挿通部３４は、第２操作具５が挿通してもぐらつかないように、貫通穴が深くなっている。
【００３８】
また、端子具カバー３３は、端子具２が内部でぐらつかないように、一方の端子部２２の三方を囲う、略コの字形の案内部材３５を備えている。この案内部材３５により、端子具２を端子具カバー３３と各端子１２２、１２３との間をずれることなく、抜き差しすることができる。なお、本実施形態に係る案内部材３５は、端子具カバー３３の内部を端子具２を抜き差しするときに、接続端子２３と干渉しないように、接続端子２３を備えていない方の端子部２２、及び、基体部２１を囲むように備えている。
【００３９】
また、端子具カバー３３は、変形することを防止するために、補強部材３６を備えている。この補強部材３６は、図２（ｂ）に示すように、端子具カバー３３に端子具２が移動する方向と平行になるように、複数備えている。
【００４０】
また、端子具接続カバー３７は、端子具２と第１操作具４との間を絶縁保護するために端子具カバー３３と第１操作具４までを囲うカバーであり、端子具２と第１操作具４とを電気的に接続するための端子具接続具３８を備えている。端子具接続具３８は、端子具２の接続端子２３と第１操作具４とを接続する接続ワイヤと、第１操作具４と接続ワイヤとを接続する蝶ナットとを備えている。
【００４１】
また、端子具接続カバー３７は、第１操作具４の先端を被う第１操作具カバー３９を備えており、第１操作具４の先端にある充電部を絶縁保護すべく、充電部を被う有底の円筒形カバーである。
【００４２】
また、第１操作具カバー３９は、第１操作具４を被せた状態で、第２操作具５とカットアウト蓋１３０の間に第１操作具４が来るように取り付けられており、第２操作具５と異なる方向からの操作により、カットアウト１００を装着することができる。なお、本実施形態に係る第１操作具カバー３９は、第１操作具４が垂直になるように取り付けられている。
【００４３】
次に、第１操作具４は、長尺状の一端部に導電性を有する先端部４１と、先端部４１に接続され、絶縁性を有する絶縁体部４２と、長尺状の他端部に、絶縁操作棒（共用操作棒）を着脱可能な第１接続部４３と、端子具接続具３８と電気的に接続されて絶縁体部４２の下部から引き出されるケーブル４４とを備えている。
【００４４】
先端部４１には、略中央に凹状に形成されており、内周部にネジ溝を備えており、第１操作具カバー３９に挿入し、端子具接続カバー３７の内側から端子具接続具３８の蝶ナットとネジ溝を螺合して固定することができ、先端具２と電気的に接続することができる。また、先端部４１は、導電性を有して（例えば金属にて）形成されている。
【００４５】
絶縁体部４２は、長尺状の円柱形状に形成されており、外周部は、絶縁性を有しており、内部は、先端部４１とケーブル４４とを電気的に接続されている。すなわち、ケーブル４４から流れる電流は、先端部４１に流れ、また、先端部４１に流れる電流は、ケーブル４４に流れるようになっている。
【００４６】
第１接続部４３は、有底の円筒形状に形成されており、絶縁操作棒の先端部を差し込んで取り付けることができる。具体的には、第１接続部４３の周面部には、絶縁操作棒側に向かって切り欠きがあり、この切り欠きに連続して直交方向に屈曲する切り欠き部とが一対形成されており、絶縁操作棒の先端部外周に設けられた凸部にその切り欠きに嵌め込み、切り欠きの奥の方に挿入させて引っ掛けることにより引き抜き不能に取り付けることができる。
【００４７】
ケーブル４４は、その一端を先端部４１と絶縁体部４２を介して電気的に接続されており、他端を配線系に接続されている。
【００４８】
次に、第２操作具５は、長尺な棒状の絶縁性を有する挿通部材５１と、挿通部材５１の一端に絶縁操作棒を着脱可能な第２接続部５２とを備えている。
【００４９】
挿通部材５１は、先端が凹状に形成され、内周部に、ネジ溝を備えており、端子具２のネジ部２４が接続される。そして、挿通部材５１の長さは、端子具カバー３２の挿通部３４に挿通された状態で、一次側端子１２２及び二次側端子１２３に端子具２を接続する位置から、一次側端子１２２及び二次側端子１２３から端子具２が引き離され、カットアウト本体１２０からカバー体３を装着し、又は、取り外すことが可能な位置までの長さに相当する。
【００５０】
第２接続部５２は、第１接続部５３と同様の形状であり、挿通部材５１のネジ溝が設けられた反対の端に備えており、絶縁操作棒を接続することができる。
【００５１】
よって、第２操作具５は、カバー体３に挿入すると、端子具２が一次側端子１２２及び二次側端子１２３に接続する位置まで挿入される。また、第２操作具５は、カバー体３から引き出すと、端子具２が一次側端子１２２及び二次側端子１２３から引き離され、カットアウト本体からカバー体を装着し、又は、取り外すことが可能な位置まで引き出される。すなわち、第２操作具５は、端子具２の位置を切り替え可能とするために端子具２に取り付けられている。本実施形態に係るカットアウト接続器具１の構成の説明は、以上である。
【００５２】
次に、本実施形態に係るカットアウト接続器具１のカットアウト１００に接続する方法について、図１を参酌しつつ、説明する。
【００５３】
まず、絶縁操作棒などを利用して、カットアウト本体１２０からカットアウト蓋１３０を開放し、各端子１２２、１２３を露出させる。このとき、カットアウト蓋１３０に取り付けられているヒューズ１１０は、誤って、投入することを避けるために、カットアウト蓋１３０から取り外しておく。そして、各端子１２２、１２３にカットアウト接続器具１を接続するために、第１操作具４の第１接続部４３に絶縁操作棒を接続する。
【００５４】
次に、絶縁操作棒が接続された第１操作具４を操作して、端子具をカットアウト本体１２０を装着することが可能な位置に切り替えて、カットアウト本体１２０の頂部にカットアウトカバー３１を装着する。このとき、端子具カバー３３から端子具２がはみ出ていると、カットアウト本体１２０の頂部に端子具２が引っ掛かるなどして、装着の障害となる。
【００５５】
次に、絶縁操作棒を第１接続部４３から第２接続部５２に取り替える。そして、絶縁操作棒が接続された第２操作具５を操作して、挿通部材５１を端子具カバー３３内に挿通させ、端子具２を端子具カバー３３内からカットアウト本体１２０の各端子１２２、１２３に差し込まれ、電気的に接続される。
【００５６】
最後に、第２接続部５２に接続された絶縁操作棒を第２接続部５２から取り外せば、カットアウト接続器具１のカットアウト本体１２０への装着は、完了である。なお、カットアウト接続器具１をカットアウト本体１２０から取り外すときは、この操作を逆に行えばよい。そして、装着されたカットアウト接続器具１に試験電流を流すと、第１操作具４のケーブル４４を介して、端子具２に試験電流が流れ、カットアウト１００に試験電流を流すことができる。
【００５７】
なお、ここで、カットアウト接続器具１のケーブル４４が誤って引っ張られるなどして、第１操作具４が下方に引っ張られることがあっても、カットアウトカバー３１がカットアウト本体１２０の頂部に引っ掛かっており、更に、端子具２が各端子１２２、１２３に差し込まれているため、カットアウト接続器具１は、カットアウト１００から外れることはない。また、第１操作具４が左右に揺さぶられたり、上方向に押し上げられた場合でも、同様である。
【００５８】
また、従来においては、図６に示すように、カットアウト１００に取り付けられているカットアウト接続器具１ｂは、自重により、全体として、端子具２（特に下方側の端子部２２）を支点（中心）として回動するような力を受けており、且つ、カットアウト接続器具１ｂをカットアウト１００から取り外す際に加わる力と同じ動きの力であるため、抜けやすい状態にある。
【００５９】
しかし、本実施形態に係るカットアウト接続器具１は、第２操作具５が先端に取り付けられている端子具２を各端子１２２、１２３に接続することで、第２接続部５３を除いて、端子具カバー３３にほぼ収納されており、回動するような力はほとんどかからないようになっている。
【００６０】
また、本実施形態に係るカットアウト接続器具１は、カットアウト本体１２０に装着することで、カバー体３により、カットアウト１００や端子具２、第１操作具４の充電部を絶縁することができる。
【００６１】
また、本実施形態に係るカットアウト接続器具１は、カバー体３をカットアウト本体１２０の頂部に被せることで、開口部１２１が塞がれるため、カットアウト蓋１３０を誤って閉じて、ヒューズ１１０が投入される恐れがない。よって、ヒューズ１１０をカットアウト蓋１３０から取り外さずに操作してもよい。また、逆に、第１操作具４をヒューズ１１０と干渉するように配置することで、ヒューズ１１０を取り外すことを促すようにしてもよい。
【００６２】
また、カットアウト接続器具１は、カットアウト１００が取り付けられる電力系統の相数により、必要となる数量が異なっており、単相の場合は、２本、三相の場合は、３本である。
【００６３】
また、カットアウト１００は、電柱の腕金に取り付けられており、カットアウト接続器具１の操作に対して、電柱に登って１本づつ行われる。よって、従来のカットアウト接続器具１は、カットアウト１００を固定している腕金等にアタッチメント仮支持クリートを使用して、仮支持されていた。しかし、本実施形態に係るカットアウト接続器具１は、カットアウトカバー３１の切り欠き部３２に腕金等を引っ掛けることで仮支持することができ、アタッチメント仮支持クリートを利用する必要はない。
【００６４】
また、カットアウト接続器具１は、カバー体３を透明な材質により製作されているため、端子具カバー３３内部の端子具２の位置が外部から容易に視認することができる。
【００６５】
また、上記実施形態に係るカットアウト接続器具１においては、カバー体３の第１操作具カバー３９に対して、蝶ナットで着脱可能に接続されるものを例に説明したが、これに限定されるものではなく、電気的に接続されるものであればよく、接続ワイヤの一端をはんだ等で直接接続してもよい。
【００６６】
なお、本発明に係るカットアウト接続器具は、上記した実施の形態に限定されるものではなく、本発明の要旨を逸脱しない範囲内において種々変更を加え得ることは勿論である。
【００６７】
例えば、上記実施形態に係るカットアウト接続器具１においては、カットアウト１００の各端子１２２、１２３に第２操作具５を挿通することで端子具２を接続するものであったが、これに限定されるものではなく、図３に示すように、各端子１２２、１２３に端子具２を回動させて、接続するカットアウト接続器具１ａであってもよい。
【００６８】
ここで、本発明に係る他の実施形態としてのカットアウト接続器具１ａについて、図３を参酌しつつ、説明する。但し、従来技術、及び、上記実施形態と同じ部分については、同一の符号を付して、説明を省略する。
【００６９】
まず、カットアウト接続器具１ａについての構成について、説明する。カットアウト接続器具１ａは、カットアウト本体１２０に収容される一次側端子１２２及び二次側端子１２３に電気的に接続する端子具２ａと、カットアウト本体１２０の一部を被うカバー体３ａと、端子具２ａとカバー体３ａとを操作する操作具４とを備えている。
【００７０】
端子具２ａは、上記実施形態と同様に基体部２１と、一対の端子部２２ａ、２２ａと、ネジ部２４とを備えているが、一対の端子部２２ａ、２２ａは、ノの字形に湾曲した形状で接続されている。また、上記実施形態に係る端子具２と異なり、接続端子２３は、備えていない。
【００７１】
カバー体３ａは、カットアウト本体１２０の頂部を被うカットアウトカバー３１ａを備えている。そして、カットアウトカバー３１ａの、カットアウト１００の開口部１２１側の端に回動自在に取り付けられる端子具操作棒３３ａを備えている。
【００７２】
カットアウトカバー３１は、カットアウト本体１２０の頂部を被うことが可能な、カットアウト１００の上面とその上面に隣接する側面に対しそれぞれ相対する面を備えたカバーである。そして、カットアウトカバー３１は、カットアウト本体１２０の頂部に被せることで装着することができる。
【００７３】
端子具操作棒３３ａは、端子具２のネジ部２４と操作具５とを電気的に接続する端子具接続部材３８ａと、操作具５の先端を被う操作具カバー３９とを備えており、端子具接続部材３９ａをカットアウト本体１２０の開口部１２１側を除いて囲むことで、絶縁保護したものである。
【００７４】
端子具接続部材３８ａは、端子具２ａと操作具４とを電気的に接続する導電性を有する部材であり、端子具操作棒３３ａの、カットアウト本体１２０の開口部１２１側に端子具２ａを接続し、端子具操作棒３３ａの下端に、操作具４を接続するためのネジが設けられており、そのネジを貫通させて、操作具カバー３９を接続している。
【００７５】
本実施形態に係るカットアウト接続器具１ａの構成は、以上であり、次に、本実施形態に係るカットアウト接続器具１ａのカットアウト１００への接続する方法について説明する。
【００７６】
まず、カットアウト接続器具１ａは、操作具４の接続部４３に絶縁操作棒を接続し、カットアウト本体１２０の頂部にカットアウトカバー３１ａを装着する。カットアウト本体１２０の頂部にカットアウトカバー３１ａを押さえつけながら、絶縁操作棒が接続された操作具４を操作して、端子具操作棒３３ａを回動させ、カットアウト１００の各端子１２２、１２３に端子具２ａを接続する。後は、接続部５３に接続された絶縁操作棒を取り外せば、カットアウト接続器具１ａのカットアウト本体１２０への接続は、完了である。そして、装着されたカットアウト接続器具１ａに試験電流を流すと、操作具４のケーブル４４を介して、端子具２ａに試験電流が流れ、カットアウト１００に試験電流を流すことができる。
【００７７】
なお、ここで、カットアウト接続器具１ａのケーブル４４が誤って引っ張られるなどして、操作具４が下方に引っ張られることがあっても、カットアウトカバー３１ａがカットアウト本体１２０の頂部に引っ掛かっており、更に、端子具２が各端子１２２、１２３に差し込まれているため、カットアウト接続器具１は、カットアウト１００から外れて、落下することはない。また、操作具４を回動する操作をしないければ、左右に揺さぶられたり、上方向に押し上げられた場合でも、同様である。
【００７８】
また、カットアウト接続器具１ａは、カットアウト本体１２０に装着することで、カバー体３ａにより、カットアウト１００や端子具２ａ、操作具４の充電部を絶縁することができる。
【００７９】
なお、上記実施形態に係るカットアウト接続器具においては、端子具と、カバー体と、操作具とを一体に備えたものであったが、これに限定されるものではなく、端子具及び操作具を従来のものを流用し、そのほかの部分のみで構成したものとの組み合わせであってもよい。
【００８０】
また、上記実施形態に係るカットアウト接続器具においては、端子具２が一対の端子部２２、２２を備える場合を例に説明したが、これに限定されるものではなく、端子具が一つの端子部２２を備え、この一方の端子部２２がカットアウト１００の一次側端子１２２又は二次側端子１２３のいずれか一方に差し込まれる場合でもよい。
【００８１】
また、上記実施形態に係るカットアウト接続器具においては、事故点探査装置の課電端子である例を説明したが、これに限定されるものではなく、工事対象となる電線路を接地すべく、カットアウト１００に接続される接地短絡装置の接地端子であってもよい。
【符号の説明】
【００８２】
１、１ａ、１ｂ…カットアウト接続器具、２、２ａ、２ｂ…端子具、２１…基体部、２２、２２ａ…端子部、２３…接続端子、２４…ネジ部、３、３ａ…カバー体、３１、３１ａ…カットアウトカバー、３２…切り欠き部、３３…端子具カバー、３３ａ…端子具操作棒、３４…挿通部、３５…案内部材、３６…補強部材、３７…端子具接続カバー、３８…端子具接続具、３９…（第１）操作具カバー、４…第１操作具、４１…先端部、４２…絶縁体部、４３…第１接続部、４４…ケーブル、５…第２操作具、５１…挿通部材、５２…第２接続部、６…絶縁操作棒、１００…カットアウト、１１０…ヒューズ、１１１…ヒューズ本体、１１２…導電刃、１２０…カットアウト本体、１２１…開口部、１２２…一次側端子、１２３…二次側端子、１３０…カットアウト蓋、Ｖ…腕金、Ｗ…固定具、Ｙ…（上流側の）一次側電線、Ｚ…（下流側の）二次側電線
【図１】
2010176954.tif 000003
【図２】
2010176954.tif 000004
【図３】
2010176954.tif 000005
【図４】
2010176954.tif 000006
【図５】
2010176954.tif 000007
【図６】
2010176954.tif 000008